(57)【要約】【課題】正確な位置での切断や摘み作業を確実かつ安定して行うことができ、腰のホルダーに収めることができる程度の大きさにできる手動利器を提供すること。【解決手段】一対の作用部材１１を、支点となる１本の第１枢軸１３ａによって開閉可能に連結した手動利器１０であって、各作用部材１１の、第１枢軸１３ａに対して各作用部１１ｂとは反対側になる各基部１１ａに、それぞれ１本の第２枢軸１３ｂによって力点部材１２を回動可能に連結するとともに、これら各力点部材１２の両端部１２ａを１本の第３枢軸１３ｃによって開閉可能に連結し、各力点部１２ｂを、各作用部材１１を連結している第１枢軸１３ａより、各作用部１１ｂ側に延在させたこと。【選択図】図１
2013169159.tif 000002
【特許請求の範囲】
【請求項１】
一対の作用部材を、支点となる１本の第１枢軸によって開閉可能に連結した手動利器であって、
前記各作用部材の、前記第１枢軸に対して各作用部とは反対側になる各基部に、それぞれ１本の第２枢軸によって力点部材を回動可能に連結するとともに、これら各力点部材の両端部を１本の第３枢軸によって開閉可能に連結し、
かつ、前記各力点部材の、前記第２枢軸に対して前記端部とは反対側になる各力点部が、前記各作用部材を連結している前記第１枢軸より、前記各作用部側に延在するようにしたことを特徴とする手動利器。
【発明の詳細な説明】
【技術分野】
【０００１】
本発明は、鋏やピンセットのように、手で操作する手動工具、特にパンタグラフ形式のリンクを採用した手動工具に関するものである。
【背景技術】
【０００２】
例えば、盆栽を手入れするのに使用する従来からある剪定鋏を考えてみると、特許文献１にも提案されているように、二本の刃部をその各中央で枢着し、一方を刃先部とし、枢軸の反対側になる他方部分を柄あるいはハンドルとしているものが殆どである。このような従来の剪定鋏は、その柄あるいはハンドルを操作して、刃先部の剪断による剪定作業を行うものであるが、太い枝になると力の掛け方が難しくなる。何故なら、力を掛けるハンドルや柄の部分と、刃先とが枢着部分の正反対に位置していて、遠いからである。
【０００３】
特に、剪定の対象物が盆栽であると、どの部分で剪定するか、切り口はどの方向にするか、等、非常に微妙な作業を行わなければならないが、上記のような１つの枢軸の反対側に刃先部とハンドルとが存在していると、「力点」と「作用点」が離れているから、剪定作業の微調整が難しくなるのである。勿論、「力点」と「作用点」が離れている剪定鋏は、全体が長くなるから、使い勝手が悪く、持ち運びにも不便となっている。
【０００４】
また、盆栽の手入れには、草や無駄葉の抜き取りや、築山の手入れ等があって、その際には「鋏」ではなく「ピンセット」が使用されるが、盆栽の手入れに使用するピンセットでは、抜き取りたい草に対する狙いが容易に行えなければならないし、掴んだ草はピンセットから外れないようにして取り出せなければならない。従来のピンセットでは、全体が長いため、そのどちらも困難である。
【０００５】
以上のような、従来のピンセットや剪定鋏での不便さは、所謂「ポット苗」を大量に生産する場合のピンセットや鋏等の手動工具でも同様に言えるものである。
【先行技術文献】
【特許文献】
【０００６】
【特許文献１】実公昭５２−１８９１５号公報
【発明の概要】
【発明が解決しようとする課題】
【０００７】
特許文献１には、「梯子或いは踏台等を用いることなく地上より直接高い樹木の枝を剪定し得る如くし、且握柄を二つに分断して取り扱い、収納を便利にする剪定鋏を提供する」ことを目的とした「剪定鋏」が提案されている。この特許文献１の剪定鋏は、図５にも示すように、Ｘ字状の連結体に鋏を連結したものであり、これによって、「梯子或いは踏台等を用いることなく地上より直接高い樹木の枝を剪定し得る」剪定鋏とし得るものと考えられる。
【０００８】
しかしながら、この特許文献１の剪定鋏は、１つの枢軸の反対側に刃先部とハンドルとが存在しているため、「力点」と「作用点」が離れていて剪定作業場所の手元からの確認がし辛いだけでなく、本来の鋏をさらにＸ字状の連結体に連結しているから、いよいよ「力点」と「作用点」が離れて剪定作業の微調整が難しくなるものと考えられるのである。
【０００９】
そして、この特許文献１の剪定鋏は、パンタグラフ機構を備えているため、大きく広がった手元のハンドル操作による力が「梃子の原理」で倍加されて刃先に伝わるから、太い枝でも容易に剪定することはできるが、ハンドルを大きく広げなければならないから、刃先での微妙な作業が行い辛いだけでなく、当然長いものとなっていることから、腰のホルダーに収めることはできない。
【００１０】
さらに、この種の手動利器一般に言えることは、手で握って操作するものであることから、手の握力が効率よく掛けられるものでなければならない。握力は、掌を大きく開いたときと、掌によって「拳」を作ったときが最も小さくなるものであり、その中間点前後が最も強くなるものであるが、このような掌状態のときに、この種の手動利器が機能を発揮できるようにしておくこと、つまり手の握力が効率よく掛けられるようにしておくことが、これによる各種作業を確実にしかも安定して行えることになるのである。
【００１１】
そこで、本発明者等は、力の掛け具合のバランスがよく、正確な位置での切断や摘み等の各種作業が確実にしかも安定して行える手動利器とするにはどうしたらよいか、について種々検討を重ねてきた結果、本発明を完成したのである。
【００１２】
すなわち、本発明の目的とするところは、作業に要する力をバランス良く掛けることができて、正確な位置での切断や摘み等の各種作業を確実にしかも安定して行うことができ、しかも腰のホルダーに収めることができる程度の大きさにできる鋏やピンセット等の手動利器を提供することにある。
【課題を解決するための手段】
【００１３】
以上の課題を解決するために、本発明の採った手段は、後述する実施形態の説明中で使用する符号を付して説明すると、
「一対の作用部材１１を、支点となる１本の第１枢軸１３ａによって開閉可能に連結した手動利器１０であって、
各作用部材１１の、第１枢軸１３ａに対して各作用部１１ｂとは反対側になる各基部１１ａに、それぞれ１本の第２枢軸１３ｂによって力点部材１２を回動可能に連結するとともに、これら各力点部材１２の両端部１２ａを１本の第３枢軸１３ｃによって開閉可能に連結し、
かつ、各力点部材１２の、第２枢軸１３ｂに対して端部１２ａとは反対側になる各力点部１２ｂが、各作用部材１１を連結している第１枢軸１３ａより、各作用部１１ｂ側に延在するようにしたことを特徴とする手動利器１０」
である。
【００１４】
すなわち、この手動利器１０は、それぞれ一対の作用部材１１及び力点部材１２を、１本の第１枢軸１３ａ及び第３枢軸１３ｃと、２本の第２枢軸１３ｂとによって開閉もしくは回動可能に連結したものであるから、１本の第１枢軸１３ａ及び第３枢軸１３ｃと、２本の第２枢軸１３ｂとがそれぞれ「節」となるパンタグラフを構成しているものである。このため、各力点部材１２の動きはそのまま各作用部材１１の動きとなり、使用者による両力点部材１２の開閉操作感覚がそのまま各作用部材１１の開閉動作となって伝わることになって、当該手動利器１０による作業を安全に行えることになるのである。
【００１５】
また、この手動利器１０においては、各力点部材１２の、第３枢軸１３ｃに対して端部１２ａとは反対側になる各力点部１２ｂを、各作用部材１１を連結している第１枢軸１３ａより、各作用部１１ｂ側に延在させてあるから、当該手動利器１０の全長は、一般的な鋏やピンセット等の手動利器に比して短くすることができるものとなっている。このため、各力点部１２ｂは、図１の（ａ）中に示した両作用部材１１の枢着位置Ｃより作用部１１ｂ側に近づいているから、当該手動利器１０は、全体として短いものとなって、持ち運びに便利であるだけでなく、腰等のホルダー内への収納が容易に行えるものとなっているのである。
【００１６】
さらに、この手動利器１０においては、各力点部材１２の、第２枢軸１３ｂに対して端部１２ａとは反対側になる各力点部１２ｂを、各作用部材１１を連結している第１枢軸１３ａより、各作用部１１ｂ側に延在させているから、各力点部１２ｂに掛けられた力は倍加されて各作用部１１ｂに伝えられることになり、太い枝の剪定や大きな草を摘んで引き抜く作業を確実に行うことができるのである。
【００１７】
また、この手動利器１０においては、各力点部材１２の、第２枢軸１３ｂに対して端部１２ａとは反対側になる各力点部１２ｂを、各作用部材１１を連結している第１枢軸１３ａより、各作用部１１ｂ側に延在させているから、所謂作用点と力点とが近接した位置になっていて、力点部１２ｂに加えるべき握力の調整を、直ぐ近くの作用部１１ｂでの様子を確認しながら行えるのである。つまり、この手動利器１０では、図１の（ａ）中に示した両作用部材１１の枢着位置Ｃより作用部１１ｂ側に近づいているから、これによる剪定作業や摘み作業を安全に行うことができるのである。
【００１８】
そして、この手動利器１０においては、各力点部材１２の、第２枢軸１３ｂに対して端部１２ａとは反対側になる各力点部１２ｂを、各作用部材１１を連結している第１枢軸１３ａより、各作用部１１ｂ側に延在させているから、各作用部１１ｂが完全に閉じたとき（鋏であれば切断完了したとき、ピンセットであれば草を掴んだとき）であっても、各力点部１２ｂは未だ少し開いたままの状態にある。換言すれば、各作用部１１ｂを握っている掌についてみてみると、これをさらに握ることが可能な状態にあるため、各力点部１２ｂによる作業が確実かつ安全に行えるのである。
【００１９】
従って、本発明に係る手動利器１０は、作業に要する力をバランス良く掛けることができて、正確な位置での切断や摘み等の各種作業を確実にしかも安定して行うことができ、しかも腰のホルダーに収めることができる程度の大きさにできるものとなっているのである。
【発明の効果】
【００２０】
以上、説明した通り、本発明は、
「一対の作用部材１１を、支点となる１本の第１枢軸１３ａによって開閉可能に連結した手動利器１０であって、
各作用部材１１の、第１枢軸１３ａに対して各作用部１１ｂとは反対側になる各基部１１ａに、それぞれ１本の第２枢軸１３ｂによって力点部材１２を回動可能に連結するとともに、これら各力点部材１２の両端部１２ａを１本の第３枢軸１３ｃによって開閉可能に連結し、
かつ、各力点部材１２の、第２枢軸１３ｂに対して端部１２ａとは反対側になる各力点部１２ｂが、各作用部材１１を連結している第１枢軸１３ａより、各作用部１１ｂ側に延在するようにしたこと」
にその構成上の特徴があり、これにより、作業に要する力をバランス良く掛けることができて、正確な位置での切断や摘み等の各種作業を確実にしかも安定して行うことができ、しかも腰のホルダーに収めることができる程度の大きさにできる手動利器１０を提供することができるのである。
【図面の簡単な説明】
【００２１】
【図１】本発明に係る手動利器１０を適用した剪定鋏を示すもので、（ａ）は各作用部１１ｂを開いた状態の平面図、（ｂ）は各作用部１１ｂを閉じた状態の平面図である。
【図２】本発明に係る手動利器１０を適用したピンセットを示すもので、（ａ）は各作用部１１ｂを開いた状態の平面図、（ｂ）は各作用部１１ｂを閉じた状態の平面図である。
【図３】同手動利器１０の底面図を示すもので、（ａ）は剪定鋏の底面図、（ｂ）はピンセットの底面図である。
【図４】同手動利器１０の他の実施例を示すもので、（ａ）は指掛け１６を取り付けた剪定鋏の底面図、（ｂ）は指掛け１６を取り付けたピンセットの底面図である。
【図５】特許文献１に示された剪定鋏の平面図である。
【発明を実施するための形態】
【００２２】
以上のように構成した本発明を、図面に示した実施の形態である手動利器１０について説明するが、以下の実施形態では、鋏である手動利器１０と、ピンセットである手動利器１０との二種類があるので、それぞれについて説明することとする。
【００２３】
（鋏の実施例）
図１と、図３及び図４の各（ａ）には、「鋏」とした手動利器１０が示してある。この手動利器１０では、まず、一対の作用部材１１を第１枢軸１３ａによって開閉可能に連結したものであるが、各作用部材１１の、第１枢軸１３ａより図示右側を基部１１ａとし、反対の左側を、刃付けした作用部１１ｂとしたものである。本実施形態における各作用部材１１は、図１と図３の（ａ）との比較から分かるように同じ形状のものであり、第１枢軸１３ａによって連結するに際して、表裏を逆にしてある。
【００２４】
なお、本実施形態の作用部材１１においては、図１にも示したように、各基部１１ａに外方突出部１１ｃが一体的に形成してあり、この外方突出部１１ｃには、後述する力点部材１２が第２枢軸１３ｂによって連結される。勿論、この外方突出部１１ｃを有する各作用部材１１は、作用部１１ｂを刃部とするのに適した金属材料板を打ち抜く等して形成されるものであり、作用部１１ｂは刃付きがなされ、かつ互いに擦り合わせ可能とされて、鋏の「刃」となる。
【００２５】
なお、各外方突出部１１ｃは、両作用部材１１の各作用部１１ｂが、図１の（ｂ）に示したように完全に閉じられるまで、後述する両力点部材１２の「閉じ操作」が各作用部材１１に邪魔されないようにするものであり、各作用部材１１全体の形状が各力点部材１２の動きに邪魔にならないようにしてあれば、必ずしも必要なものではない。しかしながら、外方突出部１１ｃが存在していれば、各作用部材１１の形状をストレート（直線状）なものとすることができて、手動利器１０全体の製造を容易にする。
【００２６】
力点部材１２も一対のものとして用意されるものであり、その中央部の各第２枢軸１３ｂによって、各作用部材１１の基部１１ａに回動可能に連結したものである。これら各力点部材１２の、図１に示した各第２枢軸１３ｂより右側部分は端部１２ａであり、各第２枢軸１３ｂの左側部分は力点部１２ｂであるが、各端部１２ａのさらに端部は第３枢軸１３ｃによって開閉可能に連結してある。これにより、当該手動利器１０は、それぞれ１つの第１枢軸１３ａ及び第３枢軸１３ｃと、２つの第２枢軸１３ｂとによる合計４つの「節」が形成されて、パンタグラフとなっており、各力点部材１２の力点部１２ｂは、前述した各作用部材１１の作用部１１ｂ側外方に延在するようになっている。
【００２７】
なお、本実施形態の手動利器１０では、第３枢軸１３ｃに近い部分に両力点部材１２に係合するスプリング１４（例えばつる巻きバネ）が設けてあり、このスプリング１４の開放付勢力によって、各力点部材１２の力点部１２ｂが常に開放する方向に付勢されている。また、いずれか一方の端部１２ａには、他方の開放を規制するストッパ部材１５が設けてあり、両力点部材１２の開放が不必要になされないようにしてある。
【００２８】
また、両力点部材１２のいずれか少なくとも一方に、図１及び図２中の点線にて示したように、外方に突出する補助指掛け１２ｄが一体的に設けて実施してもよい。この補助指掛け１２ｄは、これに指を掛けることによって当該手動利器１０の使用時における安定性を確保するとともに、腰に付けたホルダーからの取り出しを容易にしたり、ホルダーへの係止を行ったりもするものである。
【００２９】
各力点部材１２の力点部１２ｂについては、本実施形態においては、金属板材によって各力点部材１２を構成しておいて、第２枢軸１３ｂで連結される部分より前方（図１では図示左方）部分にひねり部１２ｃを形成して、力点部１２ｂの平らな面が作用部材１１の作用部１１ｂの開閉方向に対して直交するようにしてある。換言すれば、各力点部１２ｂは、外から指が当て易い形状になっているのであり、かつ、指に力（押す力）を掛けて押せば、上記パンタグラフ機構を介して、各作用部材１１側の作用部１１ｂを閉じる（切断機能を発揮させる）操作が行えるものとなっているのである。
【００３０】
特に、各力点部１２ｂは、各力点部材１２の、第３枢軸１３ｃに対して端部１２ａとは反対側になっており、各作用部材１１を連結している第１枢軸１３ａより、各作用部１１ｂ側に延在しているのであるから、両作用部材１１の各作用部１１ｂにおける被切断物に対する位置及び動きの視認と、当該力点部１２ｂを操作している指の位置と力加減とを、一目で、あるいは顔や身体を動かさないで、比較・検討できるようにしているものである。
【００３１】
なお、各力点部１２ｂの表面（外）側には、凹凸を形成することによって指の滑り止めが施してあり、指の力が確実に書く力点部１２ｂに伝えられるようにしてある。また、この力点部１２ｂには、図４の（ａ）に示したように、指掛け１６を形成することも行われる。この指掛け１６は、力点部材１２の開閉操作を容易に行えるようにするものであることは当然であるが、この指掛け１６を設けるにあたって、図４の（ａ）に示したように、力点部１２ｂの端部が少し露出するようにすると、この露出した力点部１２ｂにも指が掛けられるから、切断作業時における指の位置調整が容易に行える。
【００３２】
（ピンセットの実施例）
図２と、図３及び図４の各（ｂ）には、本発明を「ピンセット」に適用した実施例が示してあるが、この実施形態に係る手動利器１０は、上述した「鋏」の実施形態である手動利器１０の構成の大部分を採用しているものである。以下では、鋏の実施形態では採用しなかった部分だけ説明することとし、それ以外の部分は、上述した説明中で使用した符号を、図３及び図４の各（ｂ）中に付して、説明を省略する。
【００３３】
さて、この実施形態の手動利器１０は、図３及び図４の各（ｂ）に示したように、各作用部材１１の第１枢軸１３ａより前方（図２では図示左側）にひねり部１１ｄを形成して、各作用部１１ｂの平面状部分が互いに向き合うようにしてある。つまり、各作用部１１ｂは、一般的なピンセットの先部分と同じ形状となるようにしてある。
【００３４】
また、この実施形態の手動利器１０では、各作用部材１１が閉じ操作される場合に、作用部１１ｂの先端が他の部分より先に互いに当接し合うように、各作用部材１１のひねり部１２ｃにおいて内側に曲げられている。
【００３５】
この、ピンセットである実施形態の手動利器１０でも、図４の（ｂ）に示したように、指掛け１６を設けて実施することも可能であり、スプリング１４やストッパ部材１５の適宜変更も、それらの目的としている事象が叶えられるのであれば十分可能である。
【符号の説明】
【００３６】
１０    手動利器
１１    作用部材
１１ａ  基部
１１ｂ  作用部
１１ｃ  外方突出部
１１ｄ  ひねり部
１２    力点部材
１２ａ  端部
１２ｂ  力点部
１２ｃ  ひねり部
１２ｄ  補助指掛け
１３ａ  第１枢軸
１３ｂ  第２枢軸
１３ｃ  第３枢軸
１４    スプリング
１５    ストッパ部材
１６    指掛け
Ｃ    両作用部材１１の枢着位置
【図１】
2013169159.tif 000003
【図２】
2013169159.tif 000004
【図３】
2013169159.tif 000005
【図４】
2013169159.tif 000006
【図５】
2013169159.tif 000007